(57)【要約】【課題】液体を吐出する記録ヘッドがフラッシング可能な支持部に支持された媒体の平面度を確保できる記録装置を提供する。【解決手段】記録装置は、搬送される用紙を支持する支持部６０と、支持部と対向する位置に固定配置され、用紙にインクを用いて記録を行う記録ヘッドと、を備え、記録ヘッドは、インクを吐出するノズル列を複数有し、複数のノズル列は、記録ヘッドにおいて用紙の幅方向Ｘに並ぶよう配列され、支持部は、記録ヘッドのノズル列と対向する位置に、記録ヘッドがフラッシングを行うときにノズル列から吐出されたインクを受け入れ可能な打ち捨て部６２を有する一方、記録ヘッドのノズル列と対向しない位置に、用紙を支持可能な支持面６１を有し、打ち捨て部の少なくとも一部分には、支持面に対して傾斜する斜面６４が設けられ、斜面は、支持面と連続して設けられ、支持面に向かって上昇するように傾斜している。【選択図】図３
2017165056.tif 000002
【特許請求の範囲】
【請求項１】
搬送される媒体を支持する支持部と、
前記支持部と対向する位置に固定配置され、前記支持部に支持される前記媒体に液体を用いて記録を行う記録ヘッドと、を備え、
前記記録ヘッドは、前記液体を吐出する複数のノズルからなるノズル列を複数有し、
複数の前記ノズル列は、前記記録ヘッドにおいて前記媒体の搬送方向と交差する幅方向に並ぶよう配列され、
前記支持部は、前記記録ヘッドの前記ノズル列と対向する位置に、前記記録ヘッドがフラッシングを行うときに前記ノズル列から吐出された前記液体を受け入れ可能な打ち捨て部を有する一方、前記記録ヘッドの前記ノズル列と対向しない位置に、前記媒体を支持可能な支持面を有し、
前記打ち捨て部の少なくとも一部分には、前記支持面に対して傾斜する斜面が設けられ、
前記斜面は、前記支持面と連続して設けられ、前記支持面に向かって上昇するように傾斜していることを特徴とする記録装置。
【請求項２】
前記支持面は、前記打ち捨て部から上方に向けて延びる突部の上面で構成され、
前記斜面は、前記搬送方向において前記突部の上流側となる位置に設けられていることを特徴とする請求項１に記載の記録装置。
【請求項３】
前記斜面は、前記搬送方向において前記突部の下流側となる位置にも設けられていることを特徴とする請求項２に記載の記録装置。
【請求項４】
前記記録ヘッドがフラッシングを行うことにより前記ノズル列から吐出された前記液体を収容する収容部をさらに備え、
前記打ち捨て部には、前記収容部に向けて前記液体を通過させる貫通孔が設けられていることを特徴とする請求項１に記載の記録装置。
【請求項５】
前記打ち捨て部には、前記斜面に吐出された前記液体を前記収容部へ導くための溝が設けられていることを特徴とする請求項４に記載の記録装置。
【請求項６】
前記溝は、前記斜面側から前記収容部側に向けて、前記溝の幅が小さくなるよう設けられていることを特徴とする請求項５に記載の記録装置。
【請求項７】
前記斜面において前記搬送方向の上流側となる端部には、前記貫通孔よりも小さく開口する細隙が設けられ、前記細隙は前記収容部と連通していることを特徴とする請求項４に記載の記録装置。
【請求項８】
前記記録ヘッドには、複数の前記ノズル列からなるノズル群が複数設けられ、
前記打ち捨て部は、一の前記ノズル群が対向する位置にそれぞれ独立して設けられていることを特徴とする請求項４に記載の記録装置。
【請求項９】
前記貫通孔は、前記打ち捨て部において前記搬送方向における中央位置であって且つ前記幅方向における中央位置に設けられることを特徴とする請求項８に記載の記録装置。
【請求項１０】
前記貫通孔は、前記打ち捨て部において前記搬送方向で上流側寄りの位置であって且つ前記幅方向における中央位置に設けられることを特徴とする請求項８に記載の記録装置。
【請求項１１】
前記支持部において少なくとも前記斜面は撥水性を有することを特徴とする請求項１乃至請求項１０のうち何れか一項に記載の記録装置。
【発明の詳細な説明】
【技術分野】
【０００１】
本発明は、例えばインクジェット式プリンターなどの記録装置に関する。
【背景技術】
【０００２】
従来から、記録装置の一種として、媒体の一例である用紙を支持する支持部と対向する位置にヘッドを固定配置し、そのヘッドに設けられる複数のノズルから液体の一例であるインクを吐出することで、支持部上を搬送される用紙に記録を行うインクジェット式のプリンターが知られている。こうしたプリンターにおいては、ヘッドにおけるノズルのインク吐出特性を維持乃至回復すべくノズル内のインクを適宜排出する、所謂フラッシングを行う必要がある。特許文献１には、複数のノズルからなるノズル群を複数備えたヘッドと対向する支持部において、ヘッドに設けられた複数のノズル群同士の間隙と対向する位置に設けられた複数の突部により用紙を支持するプリンターが記載されている。このプリンターは、支持部においてヘッドのノズル群と対向する領域、すなわち支持部において突部同士の間となる領域に向けてインクを吐出することでフラッシングを行う。
【先行技術文献】
【特許文献】
【０００３】
【特許文献１】特開２００４−９６６７号公報
【発明の概要】
【発明が解決しようとする課題】
【０００４】
ところで、特許文献１のプリンターの場合、支持部は、ヘッドに設けられたノズル群同士の間隙と対向する部分（突部）のみで用紙を支持することになるため、支持部上を搬送される用紙の姿勢を一定に維持できない虞がある。支持部上において用紙が傾いたり撓んだりすると、ヘッドのノズルから吐出されるインクの用紙に対する着弾位置がずれてしまい、記録品質に影響する虞がある。
【０００５】
本発明は、上記実情に鑑みてなされたものであり、その目的は、液体を吐出する記録ヘッドがフラッシング可能な支持部に支持された媒体の平面度を確保できる記録装置を提供することにある。
【課題を解決するための手段】
【０００６】
以下、上記課題を解決するための手段及びその作用効果について記載する。
上記課題を解決する記録装置は、搬送される媒体を支持する支持部と、前記支持部と対向する位置に固定配置され、前記支持部に支持される前記媒体に液体を用いて記録を行う記録ヘッドと、を備え、前記記録ヘッドは、前記液体を吐出する複数のノズルからなるノズル列を複数有し、複数の前記ノズル列は、前記記録ヘッドにおいて前記媒体の搬送方向と交差する幅方向に並ぶよう配列され、前記支持部は、前記記録ヘッドの前記ノズル列と対向する位置に、前記記録ヘッドがフラッシングを行うときに前記ノズル列から吐出された前記液体を受け入れ可能な打ち捨て部を有する一方、前記記録ヘッドの前記ノズル列と対向しない位置に、前記媒体を支持可能な支持面を有し、前記打ち捨て部の少なくとも一部分には、前記支持面に対して傾斜する斜面が設けられ、前記斜面は、前記支持面と連続して設けられ、前記支持面に向かって上昇するように傾斜している。
【０００７】
この構成によれば、支持部の支持面を搬送される媒体の一部が、たとえ打ち捨て部に落ち込んだとしても、打ち捨て部に設けられる斜面により媒体を支持できる。すなわち、支持部において記録ヘッドのノズル列と対向する位置であっても、媒体の支持に寄与することができる。したがって、液体を吐出する記録ヘッドがフラッシング可能な支持部に支持された媒体の平面度を確保できる。
【０００８】
上記記録装置において、前記支持面は、前記打ち捨て部から上方に向けて延びる突部の上面で構成され、前記斜面は、前記搬送方向において前記突部の上流側となる位置に設けられていることが好ましい。
【０００９】
この構成によれば、搬送される媒体の先端が突部に引っ掛かってしまう虞を低減できる。
上記記録装置において、前記斜面は、前記搬送方向において前記突部の下流側となる位置にも設けられていることが好ましい。
【００１０】
この構成によれば、搬送される媒体の後端が打ち捨て部に落ち込んだとしても、突部の下流側となる位置に設けられている斜面により支持することができる。
上記記録装置においては、前記記録ヘッドがフラッシングを行うことにより前記ノズル列から吐出された前記液体を収容する収容部をさらに備え、前記打ち捨て部には、前記収容部に向けて前記液体を通過させる貫通孔が設けられていることが好ましい。
【００１１】
この構成によれば、支持部の打ち捨て部に吐出された液体を収容部が収容することにより、記録装置を長期間に亘って使用し続けることができる。
上記記録装置において、前記打ち捨て部には、前記斜面に吐出された前記液体を前記収容部へ導くための溝が設けられていることが好ましい。
【００１２】
この構成によれば、斜面に吐出された液体を回収し易くできる。
上記記録装置において、前記溝は、前記斜面側から前記収容部側に向けて、その溝の幅が小さくなるよう設けられていることが好ましい。
【００１３】
この構成によれば、溝の毛細管現象によって、斜面に吐出された液体をさらに回収し易くできる。
上記記録装置において、前記斜面において前記搬送方向の上流側となる端部には、前記貫通孔よりも小さく開口する細隙が設けられ、前記細隙は前記保持部と連通していることが好ましい。
【００１４】
この構成によれば、斜面に吐出された液体を回収し易くできる。
上記記録装置において、前記記録ヘッドには、複数の前記ノズル列からなるノズル群が複数設けられ、前記打ち捨て部は、一の前記ノズル群が対向する位置にそれぞれ独立して設けられていることが好ましい。
【００１５】
この構成によれば、打ち捨て部に吐出された液体を、それぞれの貫通孔を介して回収することができる。
上記記録装置において、前記貫通孔は、前記打ち捨て部において前記搬送方向における中央位置であって且つ前記幅方向における中央位置に設けられることが好ましい。
【００１６】
この構成によれば、たとえば、ポンプなどによって貫通孔を介して吸引を行う構成において、空気中に漂う液体の飛沫等を効率よく回収できる。
上記記録装置において、前記貫通孔は、前記打ち捨て部において前記搬送方向で上流側寄りの位置であって且つ前記幅方向における中央位置に設けられることが好ましい。
【００１７】
この構成によれば、打ち捨て部に媒体が引っ掛かる虞を低減できる。
上記記録装置において、前記支持部において少なくとも前記斜面は撥水性を有することが好ましい。
【００１８】
この構成によれば、フラッシングによって斜面に吐出された液体がすばやく流れるため、搬送される媒体が斜面に接触した際に、媒体が汚損される虞を低減できる。
【図面の簡単な説明】
【００１９】
【図１】第一実施形態における記録装置を概略的に示す側面図。
【図２】ノズルの配列を示す記録ヘッドの下面図。
【図３】支持部の斜視図。
【図４】打ち捨て部とノズル列との位置関係を示す支持部の平面図。
【図５】支持部の平面図。
【図６】図５におけるＡ−Ａ線矢視断面図。
【図７】第二実施形態における記録装置が有する支持部の斜視図。
【図８】第二実施形態における支持部の平面図。
【図９】図８におけるＢ−Ｂ線矢視断面図。
【図１０】第三実施形態における記録装置が有する支持部の斜視図。
【図１１】第三実施形態における支持部の平面図。
【図１２】図１１におけるＣ−Ｃ線矢視断面図。
【図１３】第四実施形態における記録装置が有する記録ヘッドの下面図。
【図１４】第四実施形態における支持部の斜視図。
【図１５】第四実施形態における支持部の平面図。
【図１６】第五実施形態における記録装置が有する記録ヘッドの下面図。
【図１７】第五実施形態における支持部の斜視図。
【図１８】第五実施形態における支持部の平面図。
【図１９】第六実施形態における記録装置が有する支持部の斜視図。
【図２０】第六実施形態における支持部の平面図。
【図２１】図２０におけるＤ−Ｄ線矢視断面図。
【図２２】第七実施形態における記録装置が有する支持部の斜視図。
【図２３】第七実施形態における支持部の平面図。
【図２４】第八実施形態における記録装置が有する支持部の斜視図。
【図２５】第八実施形態における支持部の平面図。
【図２６】第九実施形態における記録装置が有する支持部の斜視図。
【図２７】第九実施形態における支持部の平面図。
【図２８】図２７におけるＥ−Ｅ線矢視断面図。
【図２９】第十実施形態における記録装置が有する支持部の斜視図。
【図３０】第十実施形態における支持部の平面図。
【図３１】第十一実施形態における記録装置が有する支持部の斜視図。
【図３２】第十一実施形態における支持部の平面図。
【図３３】第四実施形態の変更例を示す支持部の斜視図。
【図３４】第四実施形態の変更例を示す支持部の平面図。
【図３５】第五実施形態の変更例を示す支持部の斜視図。
【図３６】第五実施形態の変更例を示す支持部の平面図。
【発明を実施するための形態】
【００２０】
以下、記録装置の一種として、液体の一例であるインクを用いて媒体に記録を行うインクジェット式プリンターについて図面を参照して説明する。
（第一実施形態）
図１に示すように、第一実施形態における記録装置１１は、媒体の一例である用紙Ｐを積層した状態で収容可能な用紙カセット２０と、用紙カセット２０に収容される用紙Ｐを搬送する搬送部３０と、搬送部３０に搬送される用紙Ｐを下方から支持する支持部６０と、支持部６０に支持された用紙Ｐに記録を行う記録ヘッド４０とを備えている。なお、以下の説明において、用紙Ｐが支持部６０上を搬送される方向（すなわち図１において右側から左側へ向かう方向）を用紙Ｐの搬送方向Ｙと規定し、この搬送方向Ｙと交差する方向を用紙Ｐの幅方向Ｘと規定する。
【００２１】
搬送部３０は、用紙カセット２０内の最上位に位置する用紙Ｐを一枚ずつ送り出すピックアップローラー３１と、ピックアップローラー３１により送り出された用紙Ｐを支持部６０に向けて搬送する搬送ローラー対３２と、支持部６０上を通過した用紙Ｐを排出する排出ローラー対３３とを備える。すなわち、搬送ローラー対３２は、搬送方向Ｙにおいて支持部６０よりも上流側に設けられ、排出ローラー対３３は、支持部６０よりも下流側に設けられている。また、搬送部３０は、用紙Ｐが搬送される搬送経路（図１において一点鎖線で示す経路）において、ピックアップローラー３１と搬送ローラー対３２との間となる位置に設けられるガイド部３４と中継ローラー対３５とを備える。すなわち、ガイド部３４が、ピックアップローラー３１によって送り出された用紙Ｐを中継ローラー対３５に向けてガイドし、中継ローラー対３５が、ガイド部３４によりガイドされた用紙Ｐを搬送ローラー対３２へ向けて搬送する。
【００２２】
用紙Ｐを搬送する搬送ローラー対３２は、幅方向Ｘを軸線方向として、モーター３６の駆動により回転される駆動ローラー３７と、同じく幅方向Ｘを軸線方向として、駆動ローラー３７の回転に従動回転する従動ローラー３８とを備える。用紙Ｐを搬送する際、駆動ローラー３７は、用紙Ｐに対して下方から接触し、従動ローラー３８は、用紙Ｐに対して上方から接触する。すなわち、搬送ローラー対３２は、駆動ローラー３７と従動ローラー３８とで用紙Ｐを上下に挟み込んだ状態で回転することで、用紙Ｐを搬送する。なお、排出ローラー対３３及び中継ローラー対３５も、同様の構成とされている。
【００２３】
支持部６０は、板状に構成され、記録ヘッド４０と対向するその上面が、用紙Ｐに接触することで用紙Ｐを支持する支持面６１とされている。また、支持部６０には、記録ヘッド４０から吐出されるインクを受け入れ可能とする打ち捨て部６２が設けられている。なお、本実施形態における打ち捨て部６２は、支持部６０を上下に貫通する貫通孔６３を備えている。そして、この支持部６０の下方には、打ち捨て部６２に吐出されたインクを収容する収容部５０が設けられている。この収容部５０は、支持部６０の打ち捨て部６２を構成する貫通孔６３と連通する開口５１をその上方に有し、開口５１を通過したインクを収容可能な収容室５２を有している。この収容室５２には、たとえばスポンジなどのインク吸収材（不図示）が設けられている。また、収容部５０は、空気中に浮遊するインクの飛沫等を、開口５１を通じて収容室５２に引き込むためのファン５３を備えている。なお、このファン５３は、支持部６０上を用紙Ｐが搬送される際、打ち捨て部６２を通じて用紙Ｐを吸引することで、用紙Ｐの安定的な搬送を可能としている。
【００２４】
記録ヘッド４０は、支持部６０の上方であって且つ支持部６０と対向する位置に固定配置されている。また、記録ヘッド４０は、その下面である吐出面４１に複数のノズル４２が設けられ、ノズル４２からインクを吐出することにより用紙Ｐに記録を行う。なお、この記録ヘッド４０は、用紙Ｐの幅方向Ｘに亘って略同時にインクを吐出することが可能とされた長尺のヘッド、所謂ラインヘッドで構成されている。本実施形態における記録ヘッド４０は、乾燥によるノズル４２内のインクの粘度上昇や固着を避けるべく、ノズル４２からインクを勢いよく吐出する動作、所謂フラッシングを適宜行う。このフラッシングにより、記録ヘッド４０におけるインクの吐出特性が維持乃至回復される。すなわち、支持部６０に設けられる打ち捨て部６２は、フラッシングによって記録ヘッド４０のノズル４２から吐出されるインクを、記録ヘッド４０から収容部５０へと向かうように支持部６０を通過させる。
【００２５】
図２に示すように、記録ヘッド４０の吐出面４１には、複数のノズル４２からなるノズル列４３が複数設けられている。各ノズル列４３は、幅方向Ｘに並んだ複数のノズル４２により構成され、吐出面４１において互いに平行となるよう配置されている。また、各ノズル列４３は、搬送方向Ｙにおいて四列に分かれて配置され、幅方向Ｘにおいて所定の間隔をあけて配置されている。すなわち、記録ヘッド４０の吐出面４１に設けられるノズル列４３は、幅方向Ｘに沿ってジグザグに並んだ配置とされている。また、吐出面４１を搬送方向Ｙから見たときに、幅方向Ｘにおいて隣り合うノズル列４３は、互いに一部が重なるように配置されている。すなわち、ノズル４２は、吐出面４１を搬送方向Ｙから見たときに、幅方向Ｘにおいて隙間なく連続して並んでいるように見える。
【００２６】
図３及び図４に示すように、支持部６０は、用紙Ｐの幅方向Ｘに亘って長尺に構成されている。そして、支持部６０に設けられる打ち捨て部６２は、記録ヘッド４０のノズル列４３と対向する位置に設けられている。本実施形態における打ち捨て部６２は、支持部６０において各ノズル列４３と対向するそれぞれの位置を連なる態様とされている。すなわち、打ち捨て部６２は、支持部６０の搬送方向Ｙにおける中央寄りとなる位置において、記録ヘッド４０の吐出面４１に設けられるノズル列４３の配列と同様に、幅方向Ｘに亘ってジグザグに延びるように設けられている。そして、フラッシングによりノズル４２から吐出されたインクは、打ち捨て部６２が有する貫通孔６３を通過して収容部５０に収容される。また、支持部６０の上部において、打ち捨て部６２が設けられていない部分、すなわち記録ヘッド４０のノズル列４３が対向しない位置には、用紙Ｐを支持する支持面６１が設けられている。なお、この支持面６１は、フラットな平坦面である。
【００２７】
図５及び図６に示すように、本実施形態における打ち捨て部６２は、貫通孔６３と、支持面６１に対して傾斜する斜面６４とを含んで構成されている。この斜面６４は支持面６１と連続して設けられ、搬送方向Ｙの上流側から下流側に向けて上昇するよう傾斜している。すなわち、斜面６４は、支持面６１に向けて上昇するよう傾斜している。また、斜面６４の一部分であって、貫通孔６３と隣り合う位置には、貫通孔６３と同じく上下に延びる溝６５が複数形成されている。この溝６５は、斜面６４から支持部６０の下方に向かうにつれて、溝６５の幅が小さくなるよう設けられている。そして、フラッシングによって記録ヘッド４０から打ち捨て部６２に吐出されたインクのうち、斜面６４に吐出されたインクは、斜面６４を伝って貫通孔６３又は溝６５に流れ込み、貫通孔６３又は溝６５を通過して収容部５０に収容される。なお、支持部６０において、少なくとも斜面６４は、撥水性を有している。斜面６４に撥水性を付与する手段として、たとえばフッ素系樹脂など撥水性に優れる材料で構成する他に、フッ素コーティングなどがある。
【００２８】
次に、上記のように構成された第一実施形態における記録装置１１の作用について説明する。
図４及び図５に示すように、第一実施形態における支持部６０には、記録ヘッド４０のノズル列４３が対向する位置に打ち捨て部６２が設けられ、それ以外の位置に用紙Ｐを支持するための支持面６１が設けられている。ここで、支持部６０上を用紙Ｐが搬送される際、その搬送途中で用紙Ｐの端部が打ち捨て部６２上に位置することがある。通常、このような場合には、用紙Ｐの端部が打ち捨て部６２に落ち込んでしまい、支持部６０に支持される用紙Ｐが傾いたり撓んだりして姿勢が崩れてしまう虞がある。
【００２９】
この点、本実施形態における支持部６０は、打ち捨て部６２に設けられる斜面６４により、打ち捨て部６２上に位置する用紙Ｐの端部を支持可能とされている。すなわち、支持部６０は、支持面６１だけでなく、打ち捨て部６２の一部である斜面６４が用紙Ｐの支持に寄与するため、用紙Ｐの姿勢を一定に維持し易い構成とされている。換言すると、斜面６４を備えない支持部６０と比較して、本実施形態における支持部６０は、用紙Ｐの支持に寄与する領域を増やすことができるため、用紙Ｐの平面度を確保し易い構成とされている。なお、斜面６４は撥水性を有しているため、フラッシングの際にインクが斜面６４に吐出されていたとしても、インクが斜面６４に滞留し難い。すなわち、斜面６４が用紙Ｐを支持する際、用紙Ｐを汚損する虞が小さい。
【００３０】
上記第一実施形態によれば、以下の効果を得ることができる。
（１）支持部６０の支持面６１を搬送される用紙Ｐの一部が、たとえ打ち捨て部６２に落ち込んだとしても、打ち捨て部６２に設けられる斜面６４により用紙Ｐを支持できる。すなわち、支持部６０において記録ヘッド４０のノズル列４３と対向する位置であっても、用紙Ｐの支持に寄与することができる。したがって、インクを吐出する記録ヘッド４０がフラッシング可能な支持部６０に支持された用紙Ｐの平面度を確保できる。
【００３１】
（２）支持部６０の打ち捨て部６２に吐出されたインクを収容部５０が収容することにより、記録装置１１を長期間に亘って使用し続けることができる。
（３）溝６５により、斜面６４に吐出されたインクを回収し易くできる。
【００３２】
（４）溝６５の毛細管現象により、斜面６４に吐出されたインクをさらに回収し易くできる。
（５）斜面６４が撥水性を有することにより、フラッシングによって斜面６４に吐出されたインクがすばやく流れるため、搬送される用紙Ｐが斜面６４に接触した際に、用紙Ｐが汚損される虞を低減できる。
【００３３】
（第二実施形態）
次に、記録装置１１の第二実施形態について説明する。第二実施形態における記録装置１１は、用紙Ｐを支持する支持部６０の構成が第一実施形態と異なり、その他の構成については第一実施形態と同様である。そのため、同じ構成を備える箇所については、その説明を省略する。
【００３４】
図７、図８及び図９に示すように、第二実施形態における支持部６０には、打ち捨て部６２の一部として、貫通孔６３よりも搬送方向Ｙの開口幅が小さく開口する細隙６６が設けられている。因みに、図８においては、斜面６４の下端における幅方向Ｘの２箇所に貫通孔６３は貫通形成されている。この細隙６６は、貫通孔６３と隣り合う位置であって、搬送方向Ｙにおいて斜面６４の上流側となる位置に設けられ、貫通孔６３と同様に支持部６０を上下に貫通している。すなわち、斜面６４に吐出されたインクは、斜面６４を伝って貫通孔６３又は細隙６６に流れ込み、貫通孔６３又は細隙６６を通過して収容部５０に収容される。貫通孔６３だけでなく細隙６６でもインクを収容部５０に導出することが可能となることで、さらにインクを回収し易い構成とされている。
【００３５】
上記第二実施形態によれば、上記（１）、（２）、（５）に加えて、以下の効果を得られる。
（６）貫通孔６３に加えて細隙６６を設けることにより、斜面６４に吐出されたインクを回収し易くできる。
【００３６】
（第三実施形態）
次に、記録装置１１の第三実施形態について説明する。第一実施形態における記録装置１１は、用紙Ｐを支持する支持部６０の構成が第一実施形態と異なり、その他の構成については第一実施形態と同様である。そのため、同じ構成を備える箇所については、その説明を省略する。
【００３７】
図１０、図１１及び図１２に示すように、第三実施形態における支持部６０には、記録ヘッド４０のノズル列４３と対向する位置に、それぞれ独立した打ち捨て部６２が設けられている。すなわち、打ち捨て部６２が、記録ヘッド４０の有するノズル列４３と同じ数だけ支持部６０に設けられている。それぞれの打ち捨て部６２には、搬送方向Ｙの上流側から下流側に向けて上昇するよう傾斜する斜面６４と、支持部６０を上下に貫通する貫通孔６３とが設けられている。なお、この場合の貫通孔６３は開口形状が細隙状である。そして、この貫通孔６３は、斜面６４の上流側に設けられている。すなわち、斜面６４に吐出されたインクは、斜面６４を伝って貫通孔６３に流れ込み、貫通孔６３を通過して収容部５０に収容される。なお、打ち捨て部６２をそれぞれ独立して設けることで、支持面６１の面積をより確保することが可能となる。
【００３８】
上記第三実施形態によれば、上記（１）、（２）、（５）の効果に加え、以下の効果を得られる。
（７）打ち捨て部６２に吐出されたインクを、それぞれの貫通孔６３を介して回収することができる。
【００３９】
（第四実施形態）
次に、記録装置１１の第四実施形態について説明する。第四実施形態における記録装置１１は、用紙Ｐを支持する支持部６０及び用紙Ｐに記録を行う記録ヘッド４０の構成が第一実施形態と異なり、その他の構成については第一実施形態と同様である。そのため、同じ構成を備える箇所については、その説明を省略する。
【００４０】
図１３に示すように、第四実施形態における記録ヘッド４０には、幅方向Ｘに延びる複数のノズル列４３からなるノズル群４４が吐出面４１に複数設けられている。このノズル群４４は、搬送方向Ｙに四つ並んだノズル列４３により構成されている。また、一のノズル群４４を構成する各ノズル列４３は、幅方向Ｘにおける長さがそれぞれ異なっていて、一のノズル群４４の形状としては台形状になるよう設けられている。そして、台形状に設けられるノズル群４４は、幅方向Ｘに沿って、その向きが順番に互い違いになるよう吐出面４１に並んで配置されている。
【００４１】
図１４及び図１５に示すように、この記録ヘッド４０と対向する支持部６０は、ノズル列４３からなるノズル群４４と対向する位置に、それぞれ独立した打ち捨て部６２が設けられている。すなわち、打ち捨て部６２が、記録ヘッド４０の有するノズル群４４と同じ数だけ支持部６０に設けられている。打ち捨て部６２は、支持部６０の上部に開口する開口部６７と、開口部６７から支持部６０を上下に貫通する貫通孔６３とを備えている。なお、この開口部６７は、ノズル群４４の形状に合わせて、台形状に開口されている。
【００４２】
また、貫通孔６３は、この開口部６７の中央、すなわち搬送方向Ｙにおける中央位置であって且つ幅方向Ｘにおける中央位置を貫通するよう設けられている。そして、この打ち捨て部６２は、開口部６７と貫通孔６３によって漏斗状をなすように設けられている。すなわち、記録ヘッド４０からこの打ち捨て部６２に吐出されたインクは、開口部６７の内周面を伝って貫通孔６３に流れ込み、貫通孔６３を通過して収容部５０に収容される。
【００４３】
なお、この開口部６７の内周面は、貫通孔に向かって傾斜する四つの面で構成されている。すなわち、開口部６７には、搬送方向Ｙにおいて上流側から下流側に向けて上昇するよう傾斜する斜面６４が設けられている。そして、ノズル群４４と対向しない位置、たとえばノズル群４４同士の間隙と対向する位置には、用紙Ｐを支持する支持面６１が設けられている。
【００４４】
上記第四実施形態によれば、上記（１）、（２）、（５）、（７）に加え、以下の効果を得られる。
（８）たとえば、ポンプなどによって貫通孔６３を介してインクの吸引を行う構成において、空気中に漂うインクの飛沫等を効率よく回収できる。
【００４５】
（第五実施形態）
次に、記録装置１１の第五実施形態について説明する。第五実施形態における記録装置１１は、用紙Ｐを支持する支持部６０及び用紙Ｐに記録を行う記録ヘッド４０の構成が第四実施形態と異なり、その他の構成については第四実施形態と同様である。そのため、同じ構成を備える箇所については、その説明を省略する。
【００４６】
図１６に示すように、第五実施形態における記録ヘッド４０の吐出面４１には、幅方向Ｘ及び搬送方向Ｙと交差する方向（すなわち斜め方向）に向けて延びる複数のノズル列４３が設けられている。これらのノズル列４３は、互いに平行に設けられ、幅方向Ｘにおいて所定の間隔をあけて配置されている。そして、吐出面４１には、この複数のノズル列４３からなるノズル群４４が、吐出面４１に複数設けられている。ノズル群４４は、幅方向Ｘに並ぶ四つのノズル列４３により構成されている。すなわち、ノズル群４４は、幅方向Ｘに沿って吐出面４１に並んで配置されている。
【００４７】
図１７及び図１８に示すように、この記録ヘッド４０と対向する支持部６０は、ノズル列４３からなるノズル群４４と対向する位置に、それぞれ独立した打ち捨て部６２が設けられている。すなわち、打ち捨て部６２が、記録ヘッド４０の有するノズル群４４と同じ数だけ支持部６０に設けられている。打ち捨て部６２は、支持部６０の上部に開口する開口部６７と、開口部６７から支持部６０を上下に貫通する貫通孔６３とを備えている。なお、開口部６７は、ノズル群４４の形状に合わせて開口されている。そして、記録ヘッド４０からこの打ち捨て部６２に吐出されたインクは、開口部６７の内周面を伝って貫通孔６３に流れ込み、貫通孔６３を通過して収容部５０に収容される。なお、この開口部６７の内周面は、貫通孔６３から支持面６１に向かって上昇するように傾斜する四つの面で構成されている。すなわち、開口部６７には、搬送方向Ｙにおいて上流側から下流側に向けて上昇するよう傾斜する斜面６４が設けられている。
【００４８】
上記第五実施形態によれば、上記（１）、（２）、（５）、（７）、（８）の効果を得られる。
（第六実施形態）
次に、記録装置１１の第六実施形態について説明する。第一実施形態における記録装置１１は、用紙Ｐを支持する支持部６０の構成が第一実施形態と異なり、その他の構成については第四実施形態と同様である。そのため、同じ構成を備える箇所については、その説明を省略する。
【００４９】
図１９、図２０及び図２１に示すように、第六実施形態における支持部６０は、薄板状のベース６８を有している。このベース６８には、ベース６８の上面６９から上方に向けて突出するように延びる複数のリブ（突部）７０が設けられ、リブ７０の上面により用紙Ｐが支持される。支持部６０において、これらのリブ７０は、幅方向Ｘにおいて所定の間隔をあけて並び、搬送方向Ｙに沿って並ぶよう配置されている。また、リブ７０において、搬送方向Ｙの上流側となる部分には、リブ７０の上面と連続し、リブ７０の上面からベース６８の上面６９に向かうよう傾斜する斜面６４が設けられている。この斜面６４は、搬送方向Ｙの上流側から下流側に向けて上昇するよう傾斜している。
【００５０】
この支持部６０は、用紙Ｐを支持する支持面６１と、フラッシングの際に記録ヘッド４０のノズル４２から吐出されたインクを受け入れ可能な打ち捨て部６２とを備えている。すなわち、第六実施形態における支持部６０においては、リブ７０の上面が支持面６１とされ、リブ７０の斜面６４及びベース６８の上面６９が打ち捨て部６２とされている。なお、この支持面６１は、それぞれ同一の高さ位置となるよう設けられている。記録ヘッド４０がフラッシングを行う際には、ベース６８の上面６９及び斜面６４に向けてインクが吐出される。そして、斜面６４に吐出されたインクは、斜面６４を伝ってベース６８の上面６９に流れ込み、ベース６８の上面６９から収容部５０に流れ出ることで、収容部５０に収容される。なお、支持部６０の上部において、搬送方向Ｙの上流側となる縁には、リブ７０の縁が面取りされることで形成された面取り部７１が設けられている。この面取り部７１により、搬送経路から搬送される用紙Ｐの先端が支持部６０に引っ掛かってしまう虞が低減される。
【００５１】
上記第六実施形態によれば、上記（１）、（２）、（５）の効果に加えて、以下の効果が得られる。
（９）搬送方向Ｙにおいてリブ７０の上流側に斜面６４を設けることで、搬送される用紙Ｐの先端がリブ７０に引っ掛かってしまう虞を低減できる。
【００５２】
（第七実施形態）
次に、記録装置１１の第七実施形態について説明する。第七実施形態における記録装置１１は、用紙Ｐを支持する支持部６０の構成が第六実施形態と異なり、その他の構成については第六実施形態と同様である。そのため、同じ構成を備える箇所については、その説明を省略する。
【００５３】
図２２及び図２３に示すように、第七実施形態における支持部６０は、用紙Ｐの幅方向Ｘ及び搬送方向Ｙの両方向と交差する方向（すなわち斜め方向）に延びるリブ７０が、ベース６８の上面６９に複数設けられている。複数設けられるリブ７０は、幅方向Ｘに並んで設けられ、延びる方向が順番に互い違いになるようベース６８の上面６９に配置されている。そして、このリブ７０には、用紙Ｐを支持する支持面６１と、リブ７０の上面である支持面６１からベース６８の上面６９に向けて傾斜する斜面６４が設けられている。
【００５４】
斜面６４は、斜めに延びるリブ７０においてその斜め方向をリブ７０の中心線としたとき、この中心線を挟んで搬送方向Ｙの上流側を向く側に設けられ、搬送方向Ｙの上流側から下流側に向けてベース６８の上面６９から支持面６１へ上昇するよう傾斜している。すなわち、斜面６４は、搬送方向Ｙにおいてリブ（突部）７０の上流側に設けられているといえる。また、支持部６０の上部であって、搬送方向Ｙの上流側となる縁には、リブ７０の縁が面取りされた面取り部７１が設けられている。
【００５５】
上記第七実施形態によれば、上記（１）、（２）、（５）、（９）の効果を得られる。
（第八実施形態）
次に、記録装置１１の第八実施形態について説明する。第八実施形態における記録装置１１は、用紙Ｐを支持する支持部６０の構成が第七実施形態と異なり、その他の構成については第七実施形態と同様である。そのため、同じ構成を備える箇所については、その説明を省略する。
【００５６】
図２４及び図２５に示すように、第八実施形態における支持部６０は、用紙Ｐの幅方向Ｘ及び搬送方向Ｙの両方向と交差する方向（すなわち斜め方向）に延びるリブ７０が、ベース６８の上面６９に複数設けられている。複数設けられるリブ７０は、幅方向Ｘに並んで設けられ、延びる方向が互いに平行となるようベース６８の上面６９に配置されている。そして、このリブ７０には、用紙Ｐを支持する支持面６１と、リブ７０の上面である支持面６１からベース６８の上面６９に向けて傾斜する斜面６４が設けられている。斜面６４は、斜めに延びるリブ７０においてその斜め方向をリブ７０の中心線としたとき、この中心線を挟んで搬送方向Ｙの上流側を向く側に設けられて、搬送方向Ｙに沿ってベース６８の上面６９からリブ７０の支持面６１に向かって上昇するよう傾斜している。すなわち、斜面６４は、搬送方向Ｙにおいてリブ（突部）７０の上流側に設けられているといえる。
【００５７】
上記第八実施形態によれば、上記（１）、（２）、（５）、（９）の効果を得られる。
（第九実施形態）
次に、記録装置１１の第九実施形態について説明する。第九実施形態における記録装置１１は、用紙Ｐを支持する支持部６０の構成が第六実施形態と異なり、その他の構成については第六実施形態と同様である。そのため、同じ構成を備える箇所については、その説明を省略する。
【００５８】
図２６、図２７及び図２８に示すように、第九実施形態における支持部６０は、薄板状のベース６８を有している。このベース６８には、ベース６８の上面６９から上方に向けて突出するように延びるリブ（突部）７０が複数設けられ、リブ７０の上面である支持面６１により用紙Ｐが支持される。リブ７０において、搬送方向Ｙの上流側及び下流側となる部分には、支持面６１からベース６８の上面６９に向かうよう傾斜する斜面６４が設けられている。換言すると、搬送方向Ｙにおいてリブ７０の上流側に設けられる斜面６４は、上流側から下流側に向けて上昇するよう傾斜していて、リブ７０の下流側に設けられる斜面６４は、上流側から下流側に向けて下降するよう傾斜している。なお、この斜面６４は、何れも打ち捨て部６２の一部を構成している。
【００５９】
上記第九実施形態によれば、上記（１）、（２）、（５）、（９）の効果に加えて、以下の効果を得られる。
（１０）搬送される用紙Ｐの後端が打ち捨て部６２に落ち込んだとしても、リブ７０の下流側となる位置に設けられている斜面６４により支持することができる。
【００６０】
（第十実施形態）
次に、記録装置１１の第十実施形態について説明する。第十実施形態における記録装置１１は、用紙Ｐを支持する支持部６０の構成が第七実施形態と異なり、その他の構成については第七実施形態と同様である。そのため、同じ構成を備える箇所については、その説明を省略する。
【００６１】
図２９及び図３０に示すように、第十実施形態における支持部６０は、用紙Ｐの幅方向Ｘ及び搬送方向Ｙの両方向と交差する方向（すなわち斜め方向）に延びるリブ７０が、ベース６８の上面６９に複数設けられている。複数設けられるリブ７０は、幅方向Ｘに並んで設けられ、延びる方向が順番に互い違いになるようベース６８の上面６９に配置されている。そして、このリブ７０には、用紙Ｐを支持する支持面６１と、リブ７０の上面である支持面６１からベース６８の上面６９に向けて傾斜する斜面６４が設けられている。
【００６２】
斜面６４は、斜めに延びるリブ７０においてその斜め方向をリブ７０の中心線としたとき、この中心線を挟んで搬送方向Ｙの上流側を向く側及び下流側を向く側にそれぞれ設けられている。すなわち、斜面６４は、搬送方向Ｙにおいてリブ７０の上流側及び下流側に設けられているといえる。そして、搬送方向Ｙにおいてリブ７０の上流側に設けられる斜面６４は、上流側から下流側に向けて上昇するよう傾斜していて、リブ７０の下流側に設けられる斜面６４は、上流側から下流側に向けて下降するよう傾斜している。また、支持部６０の上部であって、搬送方向Ｙの上流側となる縁には、リブ７０の縁が面取りされた面取り部７１が設けられている。
【００６３】
上記第十実施形態によれば、上記（１）、（２）、（５）、（９）、（１０）の効果を得られる。
（第十一実施形態）
次に、記録装置１１の第十一実施形態について説明する。第十一実施形態における記録装置１１は、用紙Ｐを支持する支持部６０の構成が第八実施形態と異なり、その他の構成については第八実施形態と同様である。そのため、同じ構成を備える箇所については、その説明を省略する。
【００６４】
図３１及び図３２に示すように、第十一実施形態における支持部６０は、用紙Ｐの幅方向Ｘ及び搬送方向Ｙの両方向と交差する方向（すなわち斜め方向）に延びるリブ７０が、ベース６８の上面６９に複数設けられている。複数設けられるリブ７０は、幅方向Ｘに並んで設けられ、延びる方向が互いに平行となるようベース６８の上面６９に配置されている。そして、このリブ７０には、用紙Ｐを支持する支持面６１と、支持面６１からベース６８の上面６９に向けて傾斜する斜面６４が設けられている。
【００６５】
斜面６４は、斜めに延びるリブ７０においてその斜め方向をリブ７０の中心線としたとき、この中心線を挟んで搬送方向Ｙの上流側を向く側及び下流側を向く側に設けられている。すなわち、斜面６４は、搬送方向Ｙにおいてリブ７０の上流側及び下流側に設けられているといえる。そして、搬送方向Ｙにおいてリブ７０の上流側に設けられる斜面６４は、上流側から下流側に向けて上昇するよう傾斜していて、リブ７０の下流側に設けられる斜面６４は、上流側から下流側に向けて下降するよう傾斜している。
【００６６】
上記第十一実施形態によれば、上記（１）、（２）、（５）、（９）、（１０）の効果を得られる。
なお、上記各実施形態は以下のように変更してもよい。また、以下の変更例は適宜組み合わせてもよい。
【００６７】
・図３３及び図３４に示すように、上記第四実施形態において、貫通孔６３の位置を搬送方向Ｙにおいて中央位置から上流側寄りとなる位置に変更してもよい。
また、図３５及び図３６に示すように、上記第五実施形態においても、同様に貫通孔６３の位置をやや上流側寄りとなる位置に変更してもよい。これらの変更例によれば、上記（１）、（２）、（５）、（７）の効果に加え、以下の効果を得られる。
【００６８】
（１１）打ち捨て部６２の中央に貫通孔６３を設ける構成と比べて、搬送方向Ｙの上流側から下流側に向けて上昇するように傾斜する斜面６４が、緩やかな角度で設けられるため、打ち捨て部６２に用紙Ｐが引っ掛かる虞を低減できる。
【００６９】
・上記各実施形態において、支持面６１の下流側にだけ斜面６４を設ける構成としてもよい。
・上記第二及び第三実施形態において、打ち捨て部６２に溝６５を設けてもよい。
【００７０】
・上記第六乃至第十一実施形態において、打ち捨て部６２を構成するベース６８の上面６９及び斜面６４の一部に、貫通孔６３や細隙６６を設けてもよい。
・上記各実施形態において、収容部５０に替えて、打ち捨て部６２にインク吸収材を設ける構成としてもよい。
【００７１】
・上記各実施形態において、記録装置１１が記録を行う媒体は、用紙Ｐに限らない。たとえば、布帛やプラスチックフィルムなどでもよい。
・上記各実施形態において、記録装置１１は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００７２】
１１…記録装置、４０…記録ヘッド、４２…ノズル、４３…ノズル列、４４…ノズル群、５０…収容部、６０…支持部、６１…支持面、６２…打ち捨て部、６３…貫通孔、６４…斜面、６５…溝、６６…細隙、７０…リブ（突部）、Ｐ…用紙、Ｘ…幅方向、Ｙ…搬送方向。
【図１】
2017165056.tif 000003
【図２】
2017165056.tif 000004
【図３】
2017165056.tif 000005
【図４】
2017165056.tif 000006
【図５】
2017165056.tif 000007
【図６】
2017165056.tif 000008
【図７】
2017165056.tif 000009
【図８】
2017165056.tif 000010
【図９】
2017165056.tif 000011
【図１０】
2017165056.tif 000012
【図１１】
2017165056.tif 000013
【図１２】
2017165056.tif 000014
【図１３】
2017165056.tif 000015
【図１４】
2017165056.tif 000016
【図１５】
2017165056.tif 000017
【図１６】
2017165056.tif 000018
【図１７】
2017165056.tif 000019
【図１８】
2017165056.tif 000020
【図１９】
2017165056.tif 000021
【図２０】
2017165056.tif 000022
【図２１】
2017165056.tif 000023
【図２２】
2017165056.tif 000024
【図２３】
2017165056.tif 000025
【図２４】
2017165056.tif 000026
【図２５】
2017165056.tif 000027
【図２６】
2017165056.tif 000028
【図２７】
2017165056.tif 000029
【図２８】
2017165056.tif 000030
【図２９】
2017165056.tif 000031
【図３０】
2017165056.tif 000032
【図３１】
2017165056.tif 000033
【図３２】
2017165056.tif 000034
【図３３】
2017165056.tif 000035
【図３４】
2017165056.tif 000036
【図３５】
2017165056.tif 000037
【図３６】
2017165056.tif 000038